(57)【要約】      （修正有）【課題】複数の病院で実施した複数のガン化学療法の情報をホストコンピュータの実施化学療法データベースに累積的に記憶させ、これらのガン化学療法の情報を複数の病院で共有して有効に活用する。【解決手段】複数の病院側に夫々設置される複数の端未コンピュータと、これらの端未コンピュータに通信手段を介してデータ送受信可能なホストコンピュータとを備え、ホストコンピュータに、複数の端未コンピュータから受信した、各ガン患者に実施されたガン化学療法の情報を累積的に記憶させた実施化学療法データファイルを設けた。【選択図】図１
2004362336.tif 000002
【特許請求の範囲】
【請求項１】
複数種のガン化学療法を複数のガン患者に実施するために支援するガン化学療法実施支援システムにおいて、
複数の病院側に夫々設置される複数の端未コンピュータと、これらの端未コンピュータに通信手段を介してデータ送受信可能なホストコンピュータとを備え、前記ホストコンピュータに、ガン種類別に、少なくとも、施用する抗ガン剤の名称又は抗ガン剤特定情報、抗ガン剤の施用間隔、各回の抗ガン剤の施用基準量が夫々設定された複数種のガン化学療法プロトコルの情報を記憶させた化学療法プロトコルファイルを設けたことを特徴とするガン化学療法実施支援システム。
【請求項２】
複数種のガン化学療法を複数のガン患者に実施するために支援するガン化学療法実施支援システムにおいて、
複数の病院側に夫々設置される複数の端未コンピュータと、これらの端未コンピュータに通信手段を介してデータ送受信可能なホストコンピュータとを備え、前記ホストコンピュータに、複数の端未コンピュータから受信した、各ガン患者に実施されたガン化学療法の情報を累積的に記憶させた実施化学療法データファイルを設けたことを特徴とするガン化学療法実施支援システム。
【請求項３】
前記実施化学療法データファイルに記憶された各ガン化学療法の情報は、少なくとも、ガン患者に施用した抗ガン剤の名称又は抗ガン剤特定情報、抗ガン剤の施用日、各回の抗ガン剤の施用量に関する情報を含むことを特徴とする請求項２に記載のガン化学療法実施支援システム。
【請求項４】
前記実施化学療法データファイルに記憶された各ガン化学療法の情報は、そのガン化学療法をガン患者に実施していきながら収集されたガン患者の病状に関連する病状関連情報を含むことを特徴とする請求項３に記載のガン化学療法実施支援システム。
【請求項５】
前記ホストコンピュータに、ガン種類別に、少なくとも、施用する抗ガン剤の名称又は抗ガン剤特定情報、抗ガン剤の施用間隔、各回の抗ガン剤の施用基準量が夫々設定された複数種のガン化学療法プロトコルの情報を記憶させた化学療法プロトコルファイルを設けたことを特徴とする請求項２〜４の何れかに記載のガン化学療法実施支援システム。
【請求項６】
前記ホストコンピュータに、実施化学療法データファイルからガン患者別のガン化学療法の情報を読出して所定の評価判断を行い、少なくともガン種類別に、複数種のガン化学療法の実施プロトコルの情報を作成する実施プロトコル作成手段を設けたことを特徴とする請求項２〜５の何れかに記載のガン化学療法実施支援システム。
【請求項７】
前記ホストコンピュータに、実施プロトコル作成手段で作成された複数種の実施プロトコルの情報を記憶させた実施プロトコルファイルを設けたことを特徴とする請求項６に記載のガン化学療法実施支援システム。
【請求項８】
各端未コンピュータに、複数の患者の患者マスタデータを記憶させた患者マスタファイルと、この患者マスタファイルの情報と前記実施プロトコルファイルの情報に基づいて、ガン患者別に、実施に供するガン化学療法の情報を作成する実施化学療法作成手段を設けたことを特徴とする請求項７に記載のガン化学療法実施支援システム。
【請求項９】
前記ホストコンピュータに、各ガン化学療法において施用する抗ガン剤を調製する調製手順の情報を、ガン化学療法の情報に対応付けて記憶させた調製手順ファイルを設けたことを特徴とする請求項２〜８の何れかに記載のガン化学療法実施支援システム。
【請求項１０】
前記実施プロトコルファイルから実施プロトコルの情報を読出す実施プロトコル読出し手段を設けたことを特徴とする請求項５又は７に記載のガン化学療法実施支援システム。
【請求項１１】
各端未コンピュータに、ガン種類別に、少なくとも、施用する抗ガン剤の名称又は抗ガン剤特定情報、抗ガン剤の施用間隔、各回の抗ガン剤の施用基準量が夫々設定された複数種のガン化学療法の化学療法プロトコルの情報を記憶させた端未側化学療法プロトコルファイルを設けたことを特徴とする請求項２〜４の何れかに記載のガン化学療法実施支援システム。
【請求項１２】
各端未コンピュータに、複数の患者の患者マスタデータを記憶させた患者マスタファイルと、この患者マスタファイルの情報と前記端未側化学療法プロトコルファイルの情報に基づいて、ガン患者別に、実施に供するガン化学療法の情報を作成する実施化学療法作成手段を設けたことを特徴とする請求項１１に記載のガン化学療法実施支援システム。
【発明の詳細な説明】
【０００１】
【発明の属する技術分野】本発明は、複数種のガン化学療法を複数のガン患者に実施するために支援するガン化学療法実施支援システムに関する。
【０００２】
【従来の技術】従来、ガン種類別に複数種のガン化学療法が実用に供されており、ガン治療可能な病院においては、医師が、その病院に入院・外来のガン患者を診察し、そのガン患者が受けた検査の結果等に基づいて、ガン患者に実施するガン化学療法を決定する。各ガン化学療法では、ガン患者に施用する抗ガン剤、抗ガン剤の施用タイムスケジュール、各回の抗ガン剤の施用量が決まっており、これに基づいて、医師は各回の処方を行う（処方箋を作成する）。
【０００３】
各回の処方は、抗ガン剤の施用日に、医師がガン患者を診察してから行うことになるが、その際、ガン患者の様態や抗ガン剤による副作用の有無や程度等に応じて、抗ガン剤の施用タイムスケジュールや施用量を変更したり、抗ガン剤の促進剤や抑制剤（併用剤）を別途処方する場合もある。副作用の有無や程度は、抗ガン剤の施用後に、ガン患者に対して行う副作用検査の結果等から判断される。
【０００４】
ところで、医師は、経験的に、ガン患者に実施するガン化学療法の決定、ガン患者の様態や抗ガン剤による副作用の有無や程度等に応じた、抗ガン剤の施用タイムスケジュールや施用量の変更、抗ガン剤の併用剤の処方を行うことが多い。
この場合、各病院において、過去にガン患者に実施したガン化学療法の情報等をカルテ等を見て活用することは可能である。
【０００５】
一方、薬剤師は、医師が作成した処方箋（処方情報）に基づいて、抗ガン剤を含む複数種の薬剤を取り揃え、これらの薬剤を調製（重量測定、容量測定、溶解、希釈、混合、等々）して準備する。この抗ガン剤の調製については、薬剤師が所定の調製手順マニュアル等に基づいて行い、この調製を適切な調製手順で行うことにより、調製ミスを防止し、調製後の薬剤の状態を正常に維持し、調製後の監査も確実に行えるようになる。
【０００６】
ところで、特許文献１には、診療データベースの各種データベーステーブルにおける時間軸ベースに関連するレコードをポイントするための時間範囲データベースを設け、治療データベース上関連付けられない疾患と治療手段との関連付け、疾患や治療手段と観察データとの関連付けを時間ベースに行い、疾患単位又は治療手段単位のデータ抽出を行う診療データ解析システムが開示されている。
【０００７】
【特許文献１】特開２０００−１８１９８１号公報
【０００８】
【発明が解決しようとする課題】前述のように、各病院において、過去にガン患者に実施したガン化学療法の情報等をカルテ等を見て知ることができるが、これでは、過去の多数のガン化学療法の情報等を有効に活用することが難しい。つまり、ガン患者に実施したガン化学療法の有効性や、ガン患者の様態や抗ガン剤による副作用の有無や程度等に応じた、抗ガン剤の施用タイムスケジュールや施用量の変更、併用剤を処方した場合の有効性を判断することが難しい。
【０００９】
従って、ガン患者に実施するより適切なガン化学療法、より適切な抗ガン剤の施用タイムスケジュールや施用量があるにも関わらず、それを知ることができない虞がある。仮に、各病院において、過去に実施した複数のガン化学療法の情報をデータベース化したとしても、先ず、各病院のガン化学療法の情報量だけでは、前記有効性の判断が難しく、中小規模の病院では尚更である。
【００１０】
次に、各病院において、ガン患者に実施したガン化学療法、ガン患者の様態や抗ガン剤による副作用の有無や程度等に応じた、抗ガン剤の施用タイムスケジュールや施用量の変更、併用剤の処方に偏りがある可能性があり、そうなると、やはり、前記有効性の判断が難しくなる。また、過去に実施した複数のガン化学療法の情報をデータベース化したとしても、それらの情報を適切に処理できなければ、結局、ガン化学療法の情報を有効に活用できないことになる。
【００１１】
特許文献１の診療データ解析システムでは、治療データベース上関連付けられない疾患と治療手段との関連付け、疾患や治療手段と観察データとの関連付けを時間ベースに行い、疾患単位又は治療手段単位のデータ抽出を行うものであるが、各病院毎に機能するシステムである。また、実施形態には、化学療法治療情報を記憶したデータベースが開示されているが、その情報量だけでは、ガン患者に実施したガン化学療法の有効性や、ガン患者の様態や抗ガン剤による副作用の有無や程度等に応じた、抗ガン剤の施用タイムスケジュールや施用量の変更、併用剤を処方した場合の有効性を判断することが難しい。
【００１２】
一方、薬剤師が、医師が作成した処方箋に基づいて、抗ガン剤を含む複数種の薬剤を調製する場合、調製手順マニュアル等に基づいて行うのでは、この調製を適切な調製手順で行うことができない虞があり、そうなると、調製ミスが発生し、調製後の薬剤の状態が異常を来し、調製後の監査も確実に行えないという虞があるし、薬剤の調製を確実且つ迅速に行えなくなり、ガン患者数が多い大病院では、抗ガン剤の調製作業が遅れて支障をきたす虞もある。
【００１３】
本発明の目的は、複数の病院で実施した複数のガン化学療法の情報をホストコンピュータの実施化学療法データベースに累積的に記憶させ、これらのガン化学療法の情報を複数の病院で共有して有効に活用し、各病院においてガン患者別に実施に供するより適切なガン化学療法の情報を簡単・確実・迅速に作成可能し、抗ガン剤を含む複数種の薬剤を確実且つ迅速に調製可能にすること、等である。
【００１４】
【課題を解決するための手段】請求項１のガン化学療法実施支援システムは、複数種のガン化学療法を複数のガン患者に実施するために支援するガン化学療法実施支援システムにおいて、複数の病院側に夫々設置される複数の端未コンピュータと、これらの端未コンピュータに通信手段を介してデータ送受信可能なホストコンピュータとを備え、前記ホストコンピュータに、ガン種類別に、少なくとも、施用する抗ガン剤の名称又は抗ガン剤特定情報、抗ガン剤の施用間隔、各回の抗ガン剤の施用基準量が夫々設定された複数種のガン化学療法プロトコルの情報を記憶させた化学療法プロトコルファイルを設けたことを特徴とするものである。
【００１５】
このガン化学療法実施支援システムでは、ホストコンピュータにおいて、化学療法プロトコルファイルの情報を用いて、実施に供するガン化学療法の情報を作成し、そのガン化学療法の情報を端未コンピュータに供給できるし、ホストコンピュータから化学療法プロトコルファイルのデータを情報を端未コンピュータに供給し、端未コンピュータにおいて、実施に供するガン化学療法の情報を作成することができる。
【００１６】
請求項２のガン化学療法実施支援システムは、複数種のガン化学療法を複数のガン患者に実施するために支援するガン化学療法実施支援システムにおいて、複数の病院側に夫々設置される複数の端未コンピュータと、これらの端未コンピュータに通信手段を介してデータ送受信可能なホストコンピュータとを備え、前記ホストコンピュータに、複数の端未コンピュータから受信した、各ガン患者に実施されたガン化学療法の情報を累積的に記憶させた実施化学療法データファイルを設けたことを特徴とするものである。
【００１７】
端未コンピュータを設置した各病院において各ガン患者に実施されたガン化学療法の情報が、端未コンピュータからホストコンピュータに送信され、ホストコンピュータの実施化学療法データファイルには、複数の病院において複数のガン患者に実施されたガン化学療法の情報が収集されて累積的に記憶（蓄積）され、そのガン化学療法の情報（蓄積情報）は段々と増えていき、臨床データとなる。
これらの複数（多数）のガン化学療法の情報を複数の病院で共有して有効に活用でき、このガン化学療法の情報を解析し過去に実施したガン化学療法等の有効性を判断し、各病院においてガン患者別に実施に供するより適切なガン化学療法を決定（適切なガン化学療法の情報を作成）可能に構成し、実施化学療法データベースの情報量が増すにつれて、その信頼性を高めることが可能になる。
【００１８】
請求項３のガン化学療法実施支援システムは、請求項２の発明において、前記実施化学療法データファイルに記憶された各ガン化学療法の情報は、少なくとも、ガン患者に施用した抗ガン剤の名称又は抗ガン剤特定情報、抗ガン剤の施用日、各回の抗ガン剤の施用量に関する情報を含むことを特徴とするものである。複数の実施化学療法の、ガン患者に施用した抗ガン剤の名称又は抗ガン剤特定情報、抗ガン剤の施用日、各回の抗ガン剤の施用量に関する情報を、実施化学療法データファイルに累積的に記憶させて有効に活用することができる。
【００１９】
請求項４のガン化学療法実施支援システムは、請求項３の発明において、前記実施化学療法データファイルに記憶された各ガン化学療法の情報は、そのガン化学療法をガン患者に実施していきながら収集されたガン患者の病状に関連する病状関連情報を含むことを特徴とするものである。複数の実施化学療法の病状関連情報を実施化学療法データファイルに累積的に記憶させて有効に活用することができ、その病状関連情報を参考にして、実施されたガン化学療法の有効性を判断することが可能になる。
【００２０】
請求項５のガン化学療法実施支援システムは、請求項２〜４の何れかの発明において、前記ホストコンピュータに、ガン種類別に、少なくとも、施用する抗ガン剤の名称又は抗ガン剤特定情報、抗ガン剤の施用間隔、各回の抗ガン剤の施用基準量が夫々設定された複数種のガン化学療法プロトコルの情報を記憶させた化学療法プロトコルファイルを設けたことを特徴とするものである。ホストコンピュータの化学療法プロトコルファイルのデータを用いて、ガン患者別に、実施に供するガン化学療法の情報を作成することが可能になる。
【００２１】
請求項６のガン化学療法実施支援システムは、請求項２〜５の何れかの発明において、前記ホストコンピュータに、実施化学療法データファイルからガン患者別のガン化学療法の情報を読出して所定の評価判断を行い、少なくともガン種類別に、複数種のガン化学療法の実施プロトコルの情報を作成する実施プロトコル作成手段を設けたことを特徴とするものである。ホストコンピュータの実施プロトコル作成手段により、実施化学療法データファイルからガン患者別のガン化学療法の情報が読出されて所定の評価判断が行われ、少なくともガン種類別に、複数種のガン化学療法の実施プロトコルの情報が作成される。
【００２２】
請求項７のガン化学療法実施支援システムは、請求項６の発明において、前記ホストコンピュータに、実施プロトコル作成手段で作成された複数種の実施プロトコルの情報を記憶させた実施プロトコルファイルを設けたことを特徴とするものである。ホストコンピュータの実施プロトコルファイルに、実施プロトコル作成手段で作成された複数種の実施プロトコルを活用可能に保存できる。
【００２３】
請求項８のガン化学療法実施支援システムは、請求項７の発明において、各端未コンピュータに、複数の患者の患者マスタデータを記憶させた患者マスタファイルと、この患者マスタファイルの情報と前記実施プロトコルファイルの情報に基づいて、ガン患者別に、実施に供するガン化学療法の情報を作成する実施化学療法作成手段を設けたことを特徴とするものである。各端未コンピュータの実施化学療法作成手段により、各端未コンピュータの患者マスタファイルの情報とホストコンピュータの実施プロトコルファイルの情報に基づいて、ガン患者別に、実施に供するガン化学療法の情報が作成される。
【００２４】
請求項９のガン化学療法実施支援システムは、請求項２〜８の何れかの発明において、前記ホストコンピュータに、各ガン化学療法において施用する抗ガン剤を調製する調製手順の情報を、ガン化学療法の情報に対応付けて記憶させた調製手順ファイルを設けたことを特徴とするものである。ホストコンピュータの調製手順ファイルに、各ガン化学療法において施用する抗ガン剤を調製する調製手順の情報を記憶させ、この調製手順の情報ディスプレイやプリンタ等で出力して、その出力情報に基づいて、薬剤師が適切な手順で抗ガン剤を調製できる。
【００２５】
請求項１０のガン化学療法実施支援システムは、請求項５又は７の発明において、前記実施プロトコルファイルから実施プロトコルの情報を読出す実施プロトコル読出し手段を設けたことを特徴とするものである。読出し手段により、実施プロトコルファイルから実施プロトコルの情報が読出され、その実施プロトコルの情報を用いて、実施に供するガン化学療法の情報を作成できる。
【００２６】
請求項１１のガン化学療法実施支援システムは、請求項２〜４の何れかの発明において、各端未コンピュータに、ガン種類別に、少なくとも、施用する抗ガン剤の名称又は抗ガン剤特定情報、抗ガン剤の施用間隔、各回の抗ガン剤の施用基準量が夫々設定された複数種のガン化学療法の化学療法プロトコルの情報を記憶させた端未側化学療法プロトコルファイルを設けたことを特徴とするものである。各端未コンピュータの端未側化学療法プロトコルファイルのデータを用いて、ガン患者別に、実施に供するガン化学療法の情報を作成することが可能になる。
【００２７】
請求項１２のガン化学療法実施支援システムは、請求項１１の発明において、各端未コンピュータに、複数の患者の患者マスタデータを記憶させた患者マスタファイルと、この患者マスタファイルの情報と前記端未側化学療法プロトコルファイルの情報に基づいて、ガン患者別に、実施に供するガン化学療法の情報を作成する実施化学療法作成手段を設けたことを特徴とするものである。各端未コンピュータの実施化学療法作成手段により、各端未コンピュータの患者マスタファイルの情報と端未側実施プロトコルファイルの情報に基づいて、ガン患者別に、実施に供するガン化学療法の情報が作成される。
【００２８】
【発明の実施の形態】以下、本発明の実施の形態について図面を参照しながら説明する。本実施形態のガン化学療法実施支援システムは、複数の病院で実施された（実施済みの）複数のガン化学療法の情報を収集・蓄積し、これらのガン化学療法の情報を活用して、複数種のガン化学療法を複数のガン患者に実施するために支援するシステムである。
【００２９】
図１に示すように、ガン化学療法実施支援システム１は、複数の病院（病院Ａ〜病院Ｎ）に夫々設置される複数の端未コンピュータ３（コンピュータＡ〜Ｎ）と、これらの端未コンピュータ３に通信手段であるインターネット５を介してデータ送受信可能に接続され且つ複数の病院以外のデータ処理センター等に設置されるホストコンピュータ２とを備えている。
【００３０】
図２に示すように、ホストコンピュータ２には、コンピュータ本体１０、抗ガン剤マスタファイル１１、マスタプロトコルファイル１２、調製手順マスタファイル１３（調製手順ファイルに相当する）、実施プロトコルファイル１４、実施化学療法データファイル１５、ディスプレイ１６、プリンタ１７、通信用Ｉ／Ｏインターフェース１８が設けられている。マスタプロトコルファイル１２と実施プロトコルファイル１４が化学療法プロトコルファイルに相当するものである。
【００３１】
コンピュータ本体１０には、データ書込み処理手段１０ａ、データ読出し処理手段１０ｂ、データ通信処理手段１０ｃ、実施プロトコル作成手段１０ｄが設けられ、コンピュータ本体１０が通信用Ｉ／Ｏインターフェース１８を介して複数の端未コンピュータ３（コンピュータＡ、Ｂ・・・）に接続される。前記各手段１０ａ〜１０ｄは、コンピュータ本体１０の記憶部に格納されたプログラムとデータ処理部等で構成され、各ファイル１１〜１５はコンピュータ本体１０に接続（又は内蔵）されたデータ記憶部に設けられている。
【００３２】
図３に示すように、各端未コンピュータ３には、コンピュータ本体２０、入力装置２１、患者マスタファイル２２、化学療法データファイル２３、調製手順ファイル２４、ディスプレイ２５、プリンタ２６、通信用Ｉ／Ｏインターフェース２７が設けられている。
【００３３】
コンピュータ本体２０には、データ入力処理手段２０ａ、データ書込み処理手段２０ｂ、データ読出し処理手段２０ｃ、データ通信処理手段２０ｄ、実施化学療法作成段２０ｅ、調製手順作成手段２０ｆが設けられ、コンピュータ本体２０が通信用Ｉ／Ｏインターフェース２７を介してホストコンピュータ２に接続される。前記各手段２０ａ〜２０ｆは、コンピュータ本体２０の記憶部に格納されたプログラムとデータ処理部等で構成され、各ファイル２２〜２４はコンピュータ本体２０に接続（又は内蔵）されたデータ記憶部に設けられている。入力装置２１としては、キーボード、マウス、タッチパネル、バーコードリーダ等が設けられている。
【００３４】
ホストコンピュータ２の抗ガン剤マスタファイル１１には、複数種の抗ガン剤（メソトレキセート、５−ＦＵ、ロイコボリン、アイソボリン、ランダ・・・等々）の抗ガン剤マスタデータが記憶されており、各抗ガン剤マスタデータには、図４に示すように、薬品コード、薬品名、略称、規格量、薬品区分、マスタ係数・・・等に関する情報が含まれている。
【００３５】
ホストコンピュータ２のマスタプロトコルファイル１２には、図５に示すように、ガン種類別に、施用する抗ガン剤の名称（抗ガン剤特定情報）、抗ガン剤の施用間隔、各回の抗ガン剤の施用基準量が夫々設定された複数種のガン化学療法のマスタプロトコルの情報（ガンａ；マスタプロトコルデータＭａ１、マスタプロトコルデータＭａ２・・・、ガンｎ；マスタプロトコルデータＭｎ１・・・）が記憶され、具体的には、図６、図７に示す内容で記憶されている。
【００３６】
例えば、胃ガン用のＭＴＸ−５−ＦＵ交代療法（図６に示す）では、施用するメセトレキセートと５−ＦＵとロイコボリンの３種類の抗ガン剤の名称、これらメセトレキセートと５−ＦＵとロイコボリンの各々の施用間隔（メセトレキセートでは、施用日；１日、施用回数；１日あたり１回（１回／１日））、施用基準量であるマスタ係数（メセトレキセートでは、１００（ｍｇ／ｍ２／回）  ）が設定されている。メセトレキセートでは、マスタ係数（１００（ｍｇ／ｍ２／回）  ）にガン患者の体表面積を乗じて各回の施用量が算出される。
【００３７】
例えば、食道ガン用の５−ＦＵ−ランダ療法（図６に示す）では、施用する５−ＦＵとランダの２種類の抗ガン剤の名称（抗ガン剤特定情報）、これら５−ＦＵとランダの各々の施用間隔（ランダでは、施用日；１日、施用回数；１日あたり１回（１回／１日）、休薬日；２日、セット数；４セット）、マスタ係数（ランダでは、通常時；５〜１０（ｍｇ／回）  、放射線療法時；５（ｍｇ／回）  ）が設定されている。
ランダでは、マスタ係数（５〜１０（ｍｇ／回）  又は５（ｍｇ／回）  ）が各回の施用量となる。
【００３８】
ホストコンピュータ２の調製手順マスタファイル１３には、複数種の調製手順マスタデータが記憶されており、具体的には、図８に一部を例示するような内容で記憶されている。例えば、調製基本手順１では、固形抗癌薬、溶解剤、支給容器の希釈液を調製する場合に、溶解剤で固形抗癌薬を溶解し、その溶解液を希釈液が入った支給容器に入れて希釈し、また、例えば、調製基本手順３では、固形抗癌薬、固形剤、支給容器の希釈液を調製する場合に、固形抗癌薬と固形剤を夫々支給容器の希釈液で溶解し、それら溶解液を希釈液が入った支給容器に入れて混合させ希釈するように規定されている。
【００３９】
ホストコンピュータ２の実施プロトコル作成手段１０ｄは、実施化学療法データファイル１５からガン患者別にガン化学療法の情報をデータ読出し処理手段１０ｂにより読出して所定の評価判断を行い、ガン種類別に、例えば実施を推奨する、複数種のガン化学療法の実施プロトコルの情報を作成する。
【００４０】
ホストコンピュータ２の実施プロトコルファイル１４には、図９に示すように、実施プロトコル作成手段１０ｄにより作成された複数種のガン化学療法の実施プロトコルの情報（ガンａ；実施プロトコルデータＲａ１、実施プロトコルデータＲａ２・・・、ガンｎ；マスタプロトコルデータＲｎ１・・・）が、データ書込み処理手段１０ａにより書込まれて記憶される。
【００４１】
ホストコンピュータ２の実施プロトコル作成手段１０ｄでは、定期的（例えば、数日おき、１週間おき、１カ月おき等）に、複数種のガン化学療法の実施プロトコルの情報が作成され、作成された最新の複数種の実施プロトコルの情報が、実施プロトコルファイル１４に定期的に更新されつつ記憶される。そして、この最新の複数種の実施プロトコルの情報を用いて、各端未コンピュータ３の実施化学療法作成手段２０ｅにより、患者別に、実施に供するガン化学療法の情報が作成される。
【００４２】
各ガン化学療法の実施プロトコルの情報は、基本的に、マスタプロトコルデータと同じデータ構造であり、施用する抗ガン剤の名称（抗ガン剤特定情報）、抗ガン剤の施用間隔、各回の抗ガン剤の施用基準量が設定されたものである。但し、各実施プロトコルに対応する患者の属性情報（性別、年齢、身長、体重、ガンの種類・・・）及び患者の症状に関する情報ヲ検索可能に構成することが望ましい。
【００４３】
ホストコンピュータ２の実施化学療法データファイル１５には、図１０に示すように、通信処理手段１０ｃ（通信処理手段２０ｄ）によって複数の端未コンピュータ３から受信した、各ガン患者に実施されたガン化学療法の情報（ガンａ；ガン化学療法データ１、２、３・・・、ガンｂ；ガン化学療法データ１、２、３・・・、ガンｎ；ガン化学療法データ１、２、３・・・）が、ガン種類別に分類されて、データ書込み処理手段１０ａにより累積的に書込まれて記憶される。
【００４４】
実施化学療法データファイル１５に記憶された各ガン化学療法の情報には、図１１に示すように、ガン患者の属性を示す情報として、患者ＩＤ、性別、生年月日、年齢、身長、体重、体表面積等の情報が格納され、ガン治療を施した病院を特定する情報として、病院名（医院名）、診療科、医師等に関する情報が格納され、ガン及びガン化学療法に関する情報として、ＣＣＲ（肝機能検査）、病名、ガン化学療法名・・・、ガン患者に施用した抗ガン剤の名称、抗ガン剤の施用日、各回の抗ガン剤の施用量、ガン患者に施用した併用剤の名称、併用剤の施用日、各回の併用剤の施用量・・・等に関する情報が格納され、そのガン化学療法をガン患者に実施していきながら収集されたガン患者の病状に関連する病状関連情報も格納されている。
【００４５】
前記病状関連情報は、主に、ガン患者に施用した抗ガン剤の副作用の情報であり、その副作用情報には、図１２に示すように、血液について、血色素（ｇ／ｄｌ）、白血球数  （×１０／  μｌ）、好中級数  （×１０／  μｌ）、血小板数  （×１０／  μｌ）、出血、感染、消化器について、悪心・嘔吐、下痢、口内炎、肝臓について、血清ビリルビン（ＰＣＴ−Ｂｉｌ）  、ＧＯＴ／ＧＰＴ（ＡＳＴ／ＡＬＴ  、Ａｌｋａｌｉｎｅ  ｐｈｏｓｐｈ（ＡＬＰ）、肝臓その他、腎／泌尿器について、血清クレアチニン、出血性膀胱炎、血尿、蛋白尿、腎不全、脱毛について、脱毛に関する情報が含まれている。
【００４６】
各端未コンピュータ３の患者マスタファイル２２には、その端未コンピュータ３を設置した病院に入院・外来の複数のガン患者の患者マスタデータが記憶されており、各患者マスタデータには、図１３に示すように、患者ＩＤ、登録日、区分（入院又は外来）、氏名、住所、電話番号、性別、生年月日、年齢、身長、体重、体表面積、病名に関する情報が含まれている。尚、患者マスタファイル２２には、抗ガン剤投与履歴も記憶されている。各患者マスタデータは、入力装置２１（データ入力処理手段２０ａ）により入力され、データ書込み処理手段２０ｂにより患者マスタファイル２２に書込まれて記憶される。
【００４７】
各端未コンピュータ３の実施化学療法作成手段２０ｅは、患者マスタファイル２２の情報と、ホストコンピュータ２の実施プロトコルファイル１４の情報に基づいて、ガン患者別に、実施に供するガン化学療法の情報を作成する。但し、患者マスタファイル２２の情報が未整備の段階では、実施化学療法作成手段２０ｅは、患者マスタファイル２２の情報と、ホストコンピュータ２のマスタプロトコルファイル１２の情報に基づいて、ガン患者別に、実施に供するガン化学療法の情報を作成する。そのために、ホストコンピュータ２のデータ読出し処理手段１０ｂは、実施プロトコルファイル１４又はマスタプロトコルファイル１２から必要な情報を読出し、その情報がデータ通信処理手段１０ｃ（データ通信処理手段２０ｄ）により端未コンピュータ３に送信される。
【００４８】
実施プロトコルファイル１４の情報が利用されるようになると、マスタプロトコルファイル１２及びその情報は実質的に不要になるため省略可能となる。それ故、マスタプロトコルファイル１２を初めから省略し、その代わりに、このガン化学療法実施支援システム１（ホストコンピュータ２）の起動時に、実施プロトコルファイル１４に、複数種のガン化学療法の初期情報（例えば、マスタプロトコルファイルに記憶させた情報）を記憶させて使用してもよい。
【００４９】
ここで、実施に供するガン化学療法の情報を作成する場合の、各端未コンピュータ３の入力装置２１を用いたコンピュータ操作、ディスプレイ２５に表示される画面、及び、作成されガン化学療法の情報等について詳細に説明する。
各端未コンピュータ３において、入力装置２１により、所定のガン化学療法作成開始操作を行うと、ディスプレイ２５に図１４の入力画面が表示され、そこで、診療科、医師、患者ＩＤ、患者名、身長、体重、体表面積、病名（ガンの名称）、療法、ＣＣＲ、投与開始日、セット数を入力する。
【００５０】
ここで、入力するガン患者の患者マスタデータが患者マスタデータファイル２２に記憶されている場合、患者ＩＤ、患者名、身長、体重、体表面積、病名については、患者ＩＤ又は患者名を入力することにより、その患者ＩＤと同じ患者ＩＤを有する患者マスタデータが、患者マスタデータファイル２２からデータ読出し処理手段２０ｃにより読出され、その患者マスタデータの患者名、身長、体重、体表面積、病名が自動的に入力される。ガン患者の患者マスタデータが患者マスタデータファイル２２に記憶されていない場合には、入力装置２１により、患者ＩＤ、患者名、身長、体重、体表面積、病名を入力することになる。
【００５１】
尚、患者マスタデータを用いて自動的に入力された情報（特に、体重、体表面積等）を、最新の情報に修正可能である。体表面積については、身長と体重が入力されると、その身長と体重のデータから自動的に算出され入力される。この体表面積を算出する手段は端未コンピュータ３に設けられている。
【００５２】
次に、図１５に示すように、診療科、医師、患者ＩＤ、患者名、身長、体重、体表面積、病名を入力した後に、「療法」の右側の「検索」を指示（マウス等を用いてクリック）すると、入力されたガンを治療するのに適した１又は複数種のガン化学療法が検索されて表示され、これらのガン化学療法のうちの１つを指示して決定する。入力されたガンを治療するのに適したガン化学療法を検索するために、図示省略するが、ホストコンピュータ２又は端未コンピュータ３に療法名プロトコルファイルが設けられ、その療法名プロトコルファイルに、複数種のガンに夫々対応付けて複数種のガン化学療法名の情報が記憶されている。
【００５３】
例えば、図１５に示すように、病名が乳ガンの場合に「検索」を指示すると、乳ガンを治療するのに適した６種類のガン化学療法（タキソール療法、ＡＣ療法、ＥＣ療法、ＣＭＦ療法、ＣＥＦ療法、ＣＡＦ療法）が検索されて表示され、タキソール療法を指示して決定すると、図１６に示すように、療法番号「０００２０７」と共に療法名「タキソール」が表示される。
【００５４】
図１６に示すように、診療科、医師、患者ＩＤ、患者名、身長、体重、体表面積、病名（ガンの名称）、療法、ＣＣＲ、投与開始日、セット数が表示（入力）された状態で、「作成」を指示すると、ディスプレイ２５に図１７のプロトコル表が表示される。尚、このプロトコル表については、プリンタ２６で印刷することも可能である。
【００５５】
図１７のプロトコル表には、患者ＩＤ、患者名、年齢、病棟、病室等と共に、施用する抗ガン剤の名称（例えば、１００ｍｇ  タキソール  １６．７ｍＬ／瓶）、各抗ガン剤の各回の施用量（例えば、１００ｍｇ  タキソール  １６．７ｍＬ／瓶について、１２１．７６ｍｇ）、各抗ガン剤の施用タイムスケジュールの一部又は全部（例えば、１００ｍｇ  タキソール  １６．７ｍＬ／瓶について、２００３．３．１５（投与開始日）  、３．２２、３．２９、４．４  、４．１２・・・）等の情報が表示される。このプロトコル表は、実施に供するガン化学療法の情報に基づいて作成されたものであり、ディスプレイ２４に図１６の画面が表示された状態で、「作成」を指示すると、そのガン化学療法の情報が実施化学療法作成手段２０ｄにより作成される。
【００５６】
この場合、図１８のフローチャートに示すように、先ず、端未コンピュータ３において、図１６の入力画面において入力されたガン化学療法（例えば、タキソール療法）について、実施プロトコルの情報の送信要求がホストコンピュータ２に送信され（Ｔ１）、ホストコンピュータ２において、その実施プロトコルの情報の送信要求が受信されて、送信要求有りと判断された場合（Ｈ１；Ｙｅｓ  ）、実施プロトコルファイル１４から、前記入力されたガン化学療法（例えば、タキソール療法）に対応する実施プロトコルの情報が読出され（Ｈ２）、その実施プロトコルの情報が端未コンピュータ３に送信される（Ｈ３）。
【００５７】
次に、端未コンピュータ３において、ホストコンピュータ２から実施プロトコルの情報が受信され（Ｔ２）、また、図１４の画面において入力された患者ＩＤ（患者名）と同じ患者ＩＤを有する患者データが患者マスタファイル２２から読出され（Ｔ３）、前記実施プロトコルの情報と患者データとに基づいて、実施化学療法作成手段２０ｄにより実施に供するガン化学療法の情報が作成される（Ｔ４）。このガン化学療法の情報は、端未コンピュータ３の化学療法データファイル２３に記憶されるが、そのデータ内容を修正（変更）可能である。
【００５８】
実施化学療法作成手段２０ｄで作成されて実施されたガン化学療法の情報には、図１９に示すように、患者ＩＤ、登録日、区分、氏名、ガン患者の属性を示す、性別、生年月日、年齢、身長、体重、体表面積、ガン治療を受けた病院について、病院を特定する病院名（医院名）、病棟、病室、診療科、医師に関する情報、ＣＣＲ（肝機能検査）、病名、ガン化学療法名・・・、ガン患者に施用した抗ガン剤の名称、抗ガン剤の施用日、各回の抗ガン剤の施用量、ガン患者に施用した併用剤の名称、併用剤の施用日、各回の併用剤の施用量に関する情報が含まれている。
【００５９】
また、このガン化学療法の情報には、そのガン化学療法をガン患者に実施していきながら収集されたガン患者の病状に関連する病状関連情報が徐々に記憶されていく。病状関連情報は、前述のように、主に、ガン患者に施用した抗ガン剤の副作用の情報（図１２参照）である。そして、化学療法データファイル２３に記憶されている、実施された図１９に示すガン化学療法の情報から必要な情報のみを残してホストコンピュータ２に送信されて実施化学療法データファイル１５に記憶される、図１３に示すガン化学療法のデータが作成される。
【００６０】
ここで、副作用の情報の入力について説明する。端未コンピュータ３において、例えば、ディスプレイ２５に図１７の画面が表示された状態で、今回入力する副作用の検査を行った日付又は副作用の結果が得られた日付を指示（例えば、マウスを用いてクリック）することにより、所定の副作用入力開始操作を行うと、ディスプレイ２５に図２０に示す副作用入力画面が表示される。
【００６１】
この副作用入力画面では、図１２に示した副作用の複数の項目が所定の配列で表示され、そのうちの１つの項目を指示すると、その項目のデータを入力することが可能になる。ここで、端未コンピュータ３には、図２１、図２２に示す内容の副作用マスタデータを記憶させた副作用マスタデータファイル（図示略）が、患者マスタファイル２２又は化学療法データファイル２３に組込んで、又は、患者マスタファイル２２又は化学療法データファイル２３に付随させて独立に設けられており、この副作用マスタデータファイルの情報に基づいて、副作用の各項目が０〜４の５つのランクの内の１つで入力される。
【００６２】
例えば、図２１に示すように、血液について、血小板数が７６×１０／  μｌ  の場合には「２」が入力され、感染が重篤な感染の場合には「４」が入力され、消化器について、下痢が４〜６回の排便回数の増加、または夜間便、軽度の腹痛の場合には「２」が入力され、図２２に示すように、肝臓について、血清ビリルビンが＞１０×Ｎｕの場合には「４」が入力され、腎／泌尿器について、血尿が肉眼的血尿、凝固塊ありの場合には「３」が入力され、脱毛について、軽度又は中程度の脱毛の場合には「１」が入力される。
【００６３】
さて、各端未コンピュータ３の調製手順作成手段２０ｆは、各ガン化学療法において施用する抗ガン剤を調製する調製手順の情報を作成する。この場合、ホストコンピュータ２の調製手順マスタファイル１３の情報と、実施化学療法作成手段２０ｅにより作成された化学療法データファイル２３に記憶されたガン化学療法の情報とに基づいて、抗ガン剤を調製する調製手順の情報が作成される。調製手順作成手段２０ｆで作成された調製手順の情報は、この情報作成のために用いたガン化学療法の情報に対応付けて調製手順ファイル２４に記憶される。
【００６４】
ここで、ホストコンピュータ２の実施プロトコル作成手段１０ｄが、例えば１カ月毎に、実施化学療法データファイル１５からガン患者別のガン化学療法の情報を読出して所定の評価判断を行い、ガン種類別に、複数種のガン化学療法の実施プロトコルの情報を作成する実施プロトコル作成処理について、図２３のフローチャートに基づいて説明する。
【００６５】
図２３に示すように、この実施プロトコル作成処理が開始されると、先ず、実施プロトコルデータ作成指示が有るか否か判断される（Ｓ１）。実施プロトコルデータ作成指示が有る場合（Ｓ１；Ｙｅｓ  ）、実施化学療法データファイル１５から同類の複数のガン化学療法の情報（例えば、図１０に示すガンａの複数のガン患者に実施したガン化学療法のガン化学療法データ１、２、３・・・・）が読出される（Ｓ２）。
【００６６】
次に、実施化学療法データファイル１５から読込んだガンの種類別の複数のガン化学療法の情報に対して所定の評価判断を行い、ガン化学療法の実施プロトコルデータが作成される（Ｓ４）。ここで、Ｓ３においては、特に、１種類複数のガン化学療法の情報に含まれる副作用の情報について評価判断を行い、副作用の程度が良い１又は複数のガン化学療法が抜粋され、このガン化学療法の情報から実施プロトコルデータが作成される。
【００６７】
また、Ｓ３においては、実施化学療法データファイル１５からガン患者別のガン化学療法の情報を読出して所定の評価判断を行い、ガン種類別にだけでなく、性別別、年齢層別、ガン進行別に、複数種のガン化学療法の実施プロトコルの情報を作成する。こうして、ガン種類別、性別別、年齢層別、ガン進行別に応じて実施を推奨する実施プロトコルの情報を作成し、この情報に応じて実施に供するより適切なガン化学療法の情報を作成可能になる。
【００６８】
Ｓ４で作成された実施プロトコルデータは実施プロトコルファイル１４に書込まれ（Ｓ５）、その際、実施プロトコルファイル１４にＳ４で作成された実施プロトコルデータと同じ療法の実施プロトコルデータが既に記憶されている場合には、その実施プロトコルデータは上書きにて書込まれる。次に、今回の処理で、全種類のガン化学療法に対して実施プロトコルデータの作成が完了したか否か判断され（Ｓ６）、完了した場合（Ｓ７；Ｙｅｓ  ）、終了する。
【００６９】
ガン化学療法実施支援システム１の作用・効果について説明する。
このガン化学療法実施支援システム１によれば、複数の病院側に夫々設置される複数の端未コンピュータ３と、これらの端未コンピュータ３にインターネット５を介してデータ送受信可能なホストコンピュータ２とを設け、ホストコンピュータ２に、複数の端未コンピュータ３から受信した、各ガン患者に実施されたガン化学療法の情報を累積的に記憶させた実施化学療法データファイル１５を設けたので、複数の病院において複数のガン患者に実施されたガン化学療法の情報を収集して蓄積でき、そのガン化学療法の情報が段々と増えていって多数の臨床データとなり、これらの情報を各端未コンピュータ３にフィードバッグできる。
【００７０】
ホストコンピュータ２の実施化学療法データファイル１５に記憶された複数種のガンの各々に関するガン化学療法の情報を複数の病院で共有して有効に活用でき、このガン化学療法の情報を解析し過去に実施したガン化学療法等の有効性を判断し、各病院においてガン患者別に実施に供するのに適切なガン化学療法を決定（ガン化学療法の情報の作成）可能に構成し、実施化学療法データベース１４の情報量が増すにつれて、その信頼性を高めることが可能になる。
【００７１】
実施化学療法データファイル１５に記憶された各ガン化学療法の情報は、少なくとも、ガン患者に施用した抗ガン剤の名称（抗ガン剤特定情報）、抗ガン剤の施用日、各回の抗ガン剤の施用量に関する情報を含むので、複数の実施化学療法の、ガン患者に施用した抗ガン剤の名称、抗ガン剤の施用日、各回の抗ガン剤の施用量に関する情報を、実施化学療法データファイル１５に累積的に記憶させて有効に活用できる。
【００７２】
ここで、ガン治療に対してベテランの医師がいる病院からの多数のデータをホストコンピュータ２へ送信し、実施化学療法データファイル１５に記憶させると、その情報をガン治療に対してベテランの医師がいない病院でも有効活用できる。また、多数の病院の端未コンピュータ３から多数の実施されたガン化学療法の情報をホストコンピュータ２に送信することにより、ホストコンピュータ２に多数の臨床データを蓄積することができ、実施プロトコルファイル１４の実施プロトコルデータをより充実した信頼性の高いものにすることができる。
【００７３】
実施化学療法データファイル１５に記憶された各ガン化学療法の情報は、そのガン化学療法をガン患者に実施していきながら収集されたガン患者の病状に関連する病状関連情報（副作用情報）を含むので、複数の実施化学療法の病状関連情報を実施化学療法データファイル１５に累積的に記憶させて有効に活用することができ、その病状関連情報を参考にして、実施されたガン化学療法の有効性を判断して多数の臨床結果を得ることが可能になる。
【００７４】
ホストコンピュータ２に、ガン種類別に、少なくとも、施用する抗ガン剤の名称（抗ガン剤特定情報）、抗ガン剤の施用間隔、各回の抗ガン剤の施用基準量が夫々設定された複数種のガン化学療法プロトコルの情報を記憶させたマスタプロトコルファイル１２を設けたので、特に、実施プロトコルファイル１４に実施プロトコルデータが記憶されていない場合、このマスタプロトコルファイル１２のデータを用いて、ガン患者別に、実施に供するガン化学療法の情報を簡単・確実・迅速に作成することが可能になる。実施プロトコルファイル１４の情報が整備され、マスタプロトコルファイル１２の情報よりも優れたものになった段階では、このマスタプロトコルファイル１２の情報を用いて、ガン患者別に、実施に供する信頼性の高いガン化学療法の情報を作成することが可能になる。
【００７５】
ホストコンピュータ２に、実施化学療法データファイル１５からガン患者別のガン化学療法の情報を読出して所定の評価判断を行い、少なくともガン種類別に、複数種のガン化学療法の実施プロトコルの情報を作成する実施プロトコル作成手段１０ｄを設けたので、少なくともガン種類別に、複数種のガン化学療法の実施プロトコルの情報を作成し、その実施プロトコルの情報を用いて、ガン患者別に、実用に供するより適切なガン化学療法の情報を簡単・確実・迅速に作成できるようになる。
【００７６】
ホストコンピュータ２に、実施プロトコル作成手段１０ｄで作成された複数種の実施プロトコルの情報を記憶させた実施プロトコルファイル１４を設けたので、この実施プロトコルファイル１４に、実施プロトコル作成手段１０ｄで作成された複数種の実施プロトコルを活用可能に保存することができる。
【００７７】
各端未コンピュータ３に、複数の患者の患者マスタデータを記憶させた患者マスタファイル２２と、この患者マスタファイル２２の情報とホストコンピュータ２の実施プロトコルファイル１４の情報に基づいて、ガン患者別に、実施に供するガン化学療法の情報を作成する実施化学療法作成手段２０ｅを設けたので、各端未コンピュータ３において、ガン患者別に、実施に供する極力適切なガン化学療法の情報を簡単・確実・迅速に作成できる。
【００７８】
ホストコンピュータ２に、各ガン化学療法において施用する抗ガン剤を調製する調製手順の情報を、ガン化学療法の情報に対応付けて記憶させた調製手順マスタファイル１３を設けたので、各ガン化学療法において施用する抗ガン剤を調製する調製手順の情報を簡単・確実・迅速に作成し、この調製手順の情報ディスプレイ１５やプリンタ１７等で出力して、その出力情報に基づいて、薬剤師が適切な手順で確実に抗ガン剤を調製できるようになる。
【００７９】
次に、前記実施形態を部分的に変更した変更形態について説明する。但し、前記実施形態と基本的に同じものには同一符号を付して説明を省略する。
１］図２４に示すように、このガン化学療法実施支援システム１Ａにおいては、ホストコンピュータ２Ａのコンピュータ本体１０Ａに、実施化学療法作成手段３０ａと調製手順作成手段３０ｂが設けられている。この場合、ホストコンピュータ２の実施化学療法作成手段と調製手順作成手段は省略される。
【００８０】
実施化学療法作成手段３０ａは、端未コンピュータ３の患者マスタファイル２２の情報とホストコンピュータ２の実施プロトコルファイル１４の情報に基づいて、ガン患者別に、実施に供するガン化学療法の情報を作成する。この場合、端未コンピュータ３においては、例えば、図１６に示すように、ディスプレイ２５に入力画面を表示させて、診療科、医師、患者ＩＤ、患者名、身長、体重、体表面積、病名、療法、ＣＣＲ、投与開始日、セット数を入力した状態で、「作成」を指示すると、ホストコンピュータ２にガン化学療法作成指示が出力されて、この入力情報（患者マスタファイル２２から読出された患者データ）が端未コンピュータ３からホストコンピュータ２に送信される。
【００８１】
ホストコンピュータ２においては、端未コンピュータ３からガン化学療法作成指示を受けて、端未コンピュータ３から患者マスタファイル２２から読出された患者データを受信する。実施化学療法作成手段３０ａにより作成されたガン化学療法の情報は、ガン化学療法作成指示を出力した端未コンピュータ３に送信され、その端未コンピュータ３の化学療法データファイル２３に書き込まれる。
【００８２】
調製手順作成手段３０ｂは、端未コンピュータ３からの調製手順作成指示を受けて、調製手順マスタファイル１３の情報と、実施化学療法作成手段３０ａにより作成されたガン化学療法の情報とに基づいて、抗ガン剤を調製する調製手順の情報を作成し、その調製手順の情報が調製手順作成指示を出力した端未コンピュータ３に送信され、調製手順ファイル２４に書込まれる。
【００８３】
尚、実施化学療法作成手段３０ａと調製手順作成手段３０ｂの一方をホストコンピュータ２に設け、実施化学療法作成手段３０ａと調製手順作成手段３０ｂの他方を各端未コンピュータ３に設けてもよい。
【００８４】
２］図２５に示すように、このガン化学療法実施支援システム１Ｂにおいては、ホストコンピュータ２Ａに調製手順実績ファイル３５が設けられている。この調製手順実績ファイル３５には、調製手順作成手段２０ｆ，３０ａにより作成された調製手順の情報であって、実施された（実施済み）のガン化学療法において行った調製手順の情報が、実施化学療法データファイル１５に記憶されたこのガン化学療法の情報に対応付けて記憶される。
【００８５】
３］図２６に示すように、このガン化学療法実施支援システム１Ｃにおいては、各端未コンピュータ３Ｃに、抗ガン剤マスタファイル４０、マスタプロトコルファイル４１、端未側実施プロトコルファイル４２が設けられている。抗ガン剤マスタファイル４０は、前記実施形態において、ホストコンピュータ２に設けた抗ガン剤マスタファイル１１と同じものである。この場合、ホストコンピュータ２の抗ガン剤マスタファイル１１は省略可能である。
【００８６】
ホストコンピュータ２において、実施プロトコル作成手段１０ｄにより、ガン種類別に、複数種のガン化学療法の実施プロトコルの情報が作成され、実施プロトコルファイル１４に記憶されるが、実施プロトコルファイル１４の複数種の実施プロトコルの情報が各端未コンピュータ３に送信され端未側実施プロトコルファイル４２に記憶される。
【００８７】
ここで、特に、各端未コンピュータ３に、抗ガン剤マスタファイル４０、マスタプロトコルファイル４１、端未側実施プロトコルファイル４２を設けた場合には、各端未コンピュータ３に実施プロトコル作成手段を設けてもよい。尚、抗ガン剤マスタファイル４０、マスタプロトコルファイル４１、実施プロトコルファイル４２のうちの１つ又は２つを、端未コンピュータ３にではなく、ホストコンピュータ２に設けてもよい。
【００８８】
４］図２７に示すように、このガン化学療法実施支援システム１Ｄにおいては、各端未コンピュータ３Ｄに、調製手順マスタファイル５０が設けられている。この場合、ホストコンピュータの調製手順マスタファイルを省略可能である。
【００８９】
５］図２８に示すように、実施化学療法データベース１５に記憶される各ガン化学療法の情報に、投与手順、投与方法（静注等）、点滴速度等々の手技に関する情報を含めてもよい。また、注射針の太さ、抗ガン剤の溶解性、危険度等に関する情報を含めてもよい。
【００９０】
６］実施化学療法データベース１５に記憶される各ガン化学療法の情報に含まれる、ガン患者の病状に関連する情報について、図２９に示すように、副作用の情報以外の病状関連情報として、ガンの進行状況、・・・血圧、心拍、・・・パフォーマンスステータス・・・等の情報を入れてもよい。
【００９１】
７］図３０に示すように、このガン化学療法実施支援システム１Ｅにおいては、ホストコンピュータ２Ｅのコンピュータ本体１０Ｅに設けられた実施化学療法集計手段５５と、実施化学療法集計ファイル５６が設けられている。実施化学療法集計ファイル５６は、実施化学療法データファイル１５から読出した複数のガン化学療法の情報を集計し、例えば、図３１に示すように、ガン化学療法の実施の統計が作成されて、そのガン化学療法実施統計の情報が実施化学療法集計ファイル５６に記憶される。このガン化学療法実施統計は、例えば、ガン化学療法の実施頻度を集計し実施頻度順にランク付けしたものであり、ガン化学療法別、性別、年齢層別、ガン進行別、病院別等々に分類して集計することも可能である。
【００９２】
また、実施化学療法集計ファイル５６は、実施化学療法データファイル１５から読出された複数のガン化学療法の情報を集計し、例えば、図３１に示すように、副作用の統計が作成されて、その副作用統計の情報が実施化学療法集計ファイル５６に記憶される。この副作用施統計は、例えば、図３１に示すように、ガン化学療法の実施後の副作用の有無や程度を集計し副作用の有無や程度順にランク付けしたものであり、ガン化学療法別、性別、年齢層別、ガン進行別、病院別等々に分類して集計することも可能である。
【００９３】
尚、各端未コンピュータ３に、実施化学療法集計手段５５、実施化学療法集計ファイル５６を設け、各端未コンピュータ３において、ホストコンピュータ２の実施化学療法データファイル１５から読出された複数のガン化学療法の情報を集計し、ガン化学療法の実施頻度をランク付けしたり、ガン化学療法の実施後の副作用の有無や程度をランク付けしてもよい。
【００９４】
その他、次のように変更してもよい。
８］インターネット５以外の専用の通信回線等、種々の通信手段を介して、ホストコンピュータ２と複数の端未コンピュータ３とをデータ送受信可能に接続してもよい。
９］病院以外の施設（例えば、院外薬局等）に、ホストコンピュータ２に通信手段を介して送受信可能な端未コンピュータ３を設置してもよい。
１０］端未コンピュータ３として、パーソナルコンピュータ以外に、例えば、携帯電話やＰＨＳ等の携帯型端未器を適用してもよい。
【００９５】
１１］実施プロトコル作成手段による実施プロトコルの情報の作成については、前述のように、例えば、数日おき、１週間おき、１カ月おき等、所定期間おきに自動的に行ってもよい。この場合、実施プロトコル作成手段を備えたホストコンピュータにカレンダーやタイマを設け、所定期間おきに自動的に、実施化学療法データファイルから複数のガン化学療法の情報を読み出して、実施プロトコルの情報の自動的に作成し自動的に実施プロトコルファイルに記憶させてもよい。
【００９６】
１２］また、実施プロトコル作成手段による実施プロトコルの情報の作成については、例えば、実施化学療法データファイルに記憶されたガン化学療法の情報が所定数増える毎に自動的に行うようにしてもよい。前記所定数については、実施プロトコルの情報の新たな作成が有効となる数（例えば、数１０個）として予め設定される。
【００９７】
１３］実施化学療法データファイルに前記評価判断が可能なガン化学療法の情報が記憶されるまでは、実施プロトコル作成手段は機能せず、この場合、実施化学療法作成手段は、マスタプロトコルファイルに記憶されたマスタプロトコルデータを用いて、実施に供するガン化学療法の情報を作成することになる。この場合、その旨を各端未コンピュータのディスプレイに表示させることが望ましい。
【００９８】
１４］実施プロトコルファイルの情報が利用されるようになると、マスタプロトコルファイル及びその情報は実質的に不要になるため省略可能となる。それ故、マスタプロトコルファイルを初めから省略し、その代わりに、このガン化学療法実施支援システム（ホストコンピュータ）の起動時に、実施プロトコルファイルに、複数種のガン化学療法の初期情報（例えば、マスタプロトコルファイルに記憶させた情報）を記憶させて使用してもよい。
【００９９】
１５］各端未コンピュータからホストコンピュータに送信される、実施されたガン化学療法の情報に、個人を特定する情報（患者名等）を含めてもよい。また逆に、病院に関する情報を排除してもよい。
１６］各病院において実施されたガン化学療法の情報と、そのガン化学療法において実施した抗ガン剤の調製基準の情報とを、ファイリングして記憶させてもよい。これにより、調製手順実績ファイルを設ける場合、この調製手順実績ファイルと実施化学療法データファイルとを実施ファイルとして纏めてもよい。
【０１００】
１７］ガン患者の身長と体重から体表面積を自動的に算出する手段をホストコンピュータ２に設けてもよい。
１８］端未コンピュータ以外のコンピュータに患者マスタファイルを設け、その患者マスタファイルの情報を端未コンピュータに読み込んで利用してもよい。
【０１０１】
１９］ホストコンピュータに実施化学療法データファイルを設けること、複数の端未コンピュータから各ガン患者に実施されたガン化学療法の情報をホストコンピュータに供給すること、ホストコンピュータにおいてこれら複数のガン化学療法の情報を用いて実施プロトコルを作成すること、等は必須ではない。
【０１０２】
即ち、ホストコンピュータに、ガン種類別に、少なくとも、施用する抗ガン剤の名称又は抗ガン剤特定情報、抗ガン剤の施用間隔、各回の抗ガン剤の施用基準量が夫々設定された複数種のガン化学療法プロトコルの情報を記憶させることにより、ホストコンピュータにおいて、化学療法プロトコルファイルの情報を用いて、実施に供するガン化学療法の情報を作成し、そのガン化学療法の情報を端未コンピュータに供給できるし、ホストコンピュータから化学療法プロトコルファイルのデータを情報を端未コンピュータに供給し、端未コンピュータにおいて、実施に供するガン化学療法の情報を作成することができる。
【０１０３】
２０］その他、本発明の趣旨を逸脱しない範囲において、上記以外の種々の変更を付加して実施することが可能である。
【０１０４】
【発明の効果】請求項１のガン化学療法実施支援システムによれば、複数の病院側に夫々設置される複数の端未コンピュータと、これらの端未コンピュータに通信手段を介してデータ送受信可能なホストコンピュータとを備え、前記ホストコンピュータに、ガン種類別に、少なくとも、施用する抗ガン剤の名称又は抗ガン剤特定情報、抗ガン剤の施用間隔、各回の抗ガン剤の施用基準量が夫々設定された複数種のガン化学療法プロトコルの情報を記憶させた化学療法プロトコルファイルを設けたので、ホストコンピュータにおいて、化学療法プロトコルファイルの情報を用いて、実施に供するガン化学療法の情報を作成し、そのガン化学療法の情報を端未コンピュータに供給できるし、ホストコンピュータから化学療法プロトコルファイルのデータを情報を端未コンピュータに供給し、端未コンピュータにおいて、実施に供するガン化学療法の情報を作成することができる。
【０１０５】
請求項２のガン化学療法実施支援システムによれば、複数の病院側に夫々設置される複数の端未コンピュータと、これらの端未コンピュータに通信手段を介してデータ送受信可能なホストコンピュータとを設け、ホストコンピュータに、複数の端未コンピュータから受信した、各ガン患者に実施されたガン化学療法の情報を累積的に記憶させた実施化学療法データファイルを設けたので、複数の病院において複数のガン患者に実施されたガン化学療法の情報を収集して記憶（蓄積）でき、そのガン化学療法の情報が段々と増えていって多数の臨床データとなる。これらの複数（多数）のガン化学療法の情報を複数の病院で共有して有効に活用でき、このガン化学療法の情報を解析し過去に実施したガン化学療法等の有効性を判断し、各病院においてガン患者別に実施に供するより適切なガン化学療法を決定（適切なガン化学療法の情報を作成）可能に構成し、実施化学療法データベースの情報量が増すにつれて、その信頼性を高めることが可能になる。
【０１０６】
請求項３のガン化学療法実施支援システムによれば、実施化学療法データファイルに記憶された各ガン化学療法の情報は、少なくとも、ガン患者に施用した抗ガン剤の名称又は抗ガン剤特定情報、抗ガン剤の施用日、各回の抗ガン剤の施用量に関する情報を含むので、複数の実施化学療法の、ガン患者に施用した抗ガン剤の名称又は抗ガン剤特定情報、抗ガン剤の施用日、各回の抗ガン剤の施用量に関する情報を、実施化学療法データファイルに累積的に記憶させて有効に活用することができる。
【０１０７】
請求項４のガン化学療法実施支援システムによれば、実施化学療法データファイルに記憶された各ガン化学療法の情報は、そのガン化学療法をガン患者に実施していきながら収集されたガン患者の病状に関連する病状関連情報を含むので、複数の実施化学療法の病状関連情報を実施化学療法データファイルに累積的に記憶させて有効に活用することができ、その病状関連情報を参考にして、実施されたガン化学療法の有効性を判断して多数の臨床結果を得ることが可能になる。
【０１０８】
請求項５のガン化学療法実施支援システムによれば、ホストコンピュータに、ガン種類別に、少なくとも、施用する抗ガン剤の名称又は抗ガン剤特定情報、抗ガン剤の施用間隔、各回の抗ガン剤の施用基準量が夫々設定された複数種のガン化学療法プロトコルの情報を記憶させた化学療法プロトコルファイルを設けたので、この化学療法プロトコルファイルのデータを用いて、ガン患者別に、実施に供するガン化学療法の情報を簡単・確実・迅速に作成することが可能になる。
【０１０９】
請求項６のガン化学療法実施支援システムによれば、ホストコンピュータに、実施化学療法データファイルからガン患者別のガン化学療法の情報を読出して所定の評価判断を行い、少なくともガン種類別に、複数種のガン化学療法の実施プロトコルの情報を作成する実施プロトコル作成手段を設けたので、少なくともガン種類別に、複数種のガン化学療法の実施プロトコルの情報を作成し、その実施プロトコルの情報に基づいて、ガン患者別に、実用に供するより適切なガン化学療法の情報を簡単・確実・迅速に作成できる。
【０１１０】
請求項７のガン化学療法実施支援システムによれば、ホストコンピュータに、実施プロトコル作成手段で作成された複数種の実施プロトコルの情報を記憶させた実施プロトコルファイルを設けたので、この実施プロトコルファイルに、実施プロトコル作成手段で作成された複数種の実施プロトコルを活用可能に保存することができる。
【０１１１】
請求項８のガン化学療法実施支援システムによれば、各端未コンピュータに、複数の患者の患者マスタデータを記憶させた患者マスタファイルと、この患者マスタファイルの情報と前記実施プロトコルファイルの情報に基づいて、ガン患者別に、実施に供するガン化学療法の情報を作成する実施化学療法作成手段を設けたので、各端未コンピュータにおいて、ガン患者別に、実施に供するより適切なガン化学療法の情報を簡単・確実・迅速に作成できる。
【０１１２】
請求項９のガン化学療法実施支援システムよれば、ホストコンピュータに、各ガン化学療法において施用する抗ガン剤を調製する調製手順の情報を、ガン化学療法の情報に対応付けて記憶させた調製手順ファイルを設けたので、各ガン化学療法において施用する抗ガン剤を調製する調製手順の情報を記憶させ、この調製手順の情報ディスプレイやプリンタ等で出力して、その出力情報に基づいて、薬剤師が適切な手順で確実に抗ガン剤を調製できる。
【０１１３】
請求項１０のガン化学療法実施支援システムによれば、実施プロトコルファイルから実施プロトコルの情報を読出す実施プロトコル読出し手段を設けたので、この読出し手段により読出された実施プロトコルの情報を用いて、実施に供するガン化学療法の情報を作成することができる。
【０１１４】
請求項１１のガン化学療法実施支援システムによれば、各端未コンピュータに、ガン種類別に、少なくとも、施用する抗ガン剤の名称又は抗ガン剤特定情報、抗ガン剤の施用間隔、各回の抗ガン剤の施用基準量が夫々設定された複数種のガン化学療法の化学療法プロトコルの情報を記憶させた端未側化学療法プロトコルファイルを設けたので、各端未コンピュータの端未側化学療法プロトコルファイルのデータを用いて、ガン患者別に、実施に供するガン化学療法の情報を簡単・確実・迅速に作成することが可能になる。
【０１１５】
請求項１２のガン化学療法実施支援システムによれば、各端未コンピュータに、複数の患者の患者マスタデータを記憶させた患者マスタファイルと、この患者マスタファイルの情報と前記端未側化学療法プロトコルファイルの情報に基づいて、ガン患者別に、実施に供するガン化学療法の情報を作成する実施化学療法作成手段を設けたので、各端未コンピュータの実施化学療法作成手段により、各端未コンピュータの患者マスタファイルの情報と端未側実施プロトコルファイルの情報に基づいて、ガン患者別に、実施に供するより適切なガン化学療法の情報を簡単・確実・迅速に作成することができる。
【図面の簡単な説明】
【図１】本発明の実施の形態に係るガン化学療法実施支援システムの構成図である。
【図２】ホストコンピュータの構成図である。
【図３】端未コンピュータの構成図である。
【図４】抗ガン剤マスタデータの内容を示す図である。
【図５】マスタプロトコルファイルのデータ構成を示す図である。
【図６】マスタプロトコルデータの内容を示す図（１／２）である。
【図７】マスタプロトコルデータの内容を示す図（２／２）である。
【図８】調製手順マスタファイルのデータ構成を示す図である。
【図９】実施プロトコルデータファイルのデータ構成を示す図である。
【図１０】実施化学療法データファイルのデータ構成を示す図である。
【図１１】ガン化学療法の情報の内容を示す図である。
【図１２】副作用情報の内容を示す図である。
【図１３】患者マスタデータの内容を示す図である。
【図１４】ディスプレイに表示されるガン化学療法作成画面（１／３）である。
【図１５】ディスプレイに表示されるガン化学療法作成画面（２／３）である。
【図１６】ディスプレイに表示されるガン化学療法作成画面（３／３）である。
【図１７】ディスプレイに表示されるプロトコル表である。
【図１８】ガン化学療法の情報を作成する処理のフローチャートである。
【図１９】実施されたガン化学療法の情報の内容を示す図である。
【図２０】ディスプレイに表示された副作用入力画面である。
【図２１】副作用マスタファイルのデータ構成を示す図（１／２）である。
【図２２】副作用マスタファイルのデータ構成を示す図（２／２）である。
【図２３】実施プロトコルデータ作成処理のフローチャートである。
【図２４】変更形態１に係るホストコンピュータの構成図である。
【図２５】変更形態２に係るホストコンピュータの構成図である。
【図２６】変更形態３に係る端未コンピュータの構成図である。
【図２７】変更形態４に係る端未コンピュータの構成図である。
【図２８】変更形態５に係るガン化学療法の情報の内容を示す図である。
【図２９】変更形態６に係るガン患者の病状関連情報の内容を示す図である。
【図３０】変更形態７に係るホストコンピュータの構成図である。
【図３１】変更形態に係る統計情報を示す図である。
【符号の説明】
１，１Ａ，１Ｂ，１Ｃ，１Ｄ，１Ｅ    ガン化学療法実施支援システム
２，２Ａ，２Ｂ，２Ｅ    ホストコンピュータ
３，３Ｃ，３Ｄ          端未コンピュータ
５              インターネット
１０ｄ          実施プロトコル作成手段
１２            マスタプロトコルファイル
１３            調製手順マスタファイル
１４            実施プロトコルファイル
１５            実施化学療法データファイル
２０ｅ          実施化学療法作成手段
２２            患者マスタファイル
３０ａ          実施化学療法作成手段
３０ｂ          調製手順作成手段
３５            実績調製手順ファイル
４０            端未側実施プロトコルファイル
５０            調製手順マスタファイル
５５            実施化学療法集計手段
５６            実施化学療法集計ファイル
【図１】
2004362336.tif 000003
【図２】
2004362336.tif 000004
【図３】
2004362336.tif 000005
【図４】
2004362336.tif 000006
【図５】
2004362336.tif 000007
【図６】
2004362336.tif 000008
【図７】
2004362336.tif 000009
【図８】
2004362336.tif 000010
【図９】
2004362336.tif 000011
【図１０】
2004362336.tif 000012
【図１１】
2004362336.tif 000013
【図１２】
2004362336.tif 000014
【図１３】
2004362336.tif 000015
【図１４】
2004362336.tif 000016
【図１５】
2004362336.tif 000017
【図１６】
2004362336.tif 000018
【図１７】
2004362336.tif 000019
【図１８】
2004362336.tif 000020
【図１９】
2004362336.tif 000021
【図２０】
2004362336.tif 000022
【図２１】
2004362336.tif 000023
【図２２】
2004362336.tif 000024
【図２３】
2004362336.tif 000025
【図２４】
2004362336.tif 000026
【図２５】
2004362336.tif 000027
【図２６】
2004362336.tif 000028
【図２７】
2004362336.tif 000029
【図２８】
2004362336.tif 000030
【図２９】
2004362336.tif 000031
【図３０】
2004362336.tif 000032
【図３１】
2004362336.tif 000033